(57)【要約】      （修正有）【課題】ルアーを、簡易に収容・引掛け、かつ離脱・取外しできるルアーケースホルダーを提供する。【解決手段】ルアーケース１は、軸方向（筒体の上下方向）にスリット２を形成し、このスリットの接合端面を、面形状とし、面接触構造とする。この面接触構造で、スリットの接離を図りつつ、ルアーケース１の確実な開閉と、ルアーケース１内に、ルアーＡを簡易、かつ確実に収容と挿脱が図れ、又はこのルアーケース１内に、ルアーＡを簡易、かつ確実に隠蔽できるように構成する。【選択図】図２−２
0003158680.tif 000002
【実用新案登録請求の範囲】
【請求項１】
可撓性のシート素材を環状筒体としたルアーケースであって、このルアーケースは、その軸方向にスリットを形成し、このスリットは、開閉自在とし、この開放で、ルアーの収容を許し、また、この閉塞で、ルアーの収容を可能とする構造であり、
このルアーケースを、ルアーケースベースに複数個設ける構成としたルアーケースホルダー。
【請求項２】
請求項１に記載のルアーケースホルダーであって、
前記ルアーケースベースに吊下げ紐、又はフックを設け、この紐を利用して、このルアーホルダーを、釣具ケース、ジャケットに取付け可能とする構成としたルアーケースホルダー。
【請求項３】
請求項１に記載のルアーケースホルダーであって、
前記ルアーケースは、発泡性樹脂で構成し、このルアーケースに、ルアーの釣針を係止可能とする構成としたルアーケースホルダー。
【請求項４】
請求項１に記載のルアーケースホルダーであって、
前記ルアーケースのスリットは、その接合端面が、面接触構造であり、このスリットを確実に閉塞する構成としたルアーケースホルダー。
【考案の詳細な説明】
【技術分野】
【０００１】
本考案は、ルアーを、簡易に収容・引掛け、かつ離脱・取外し（原則として、収容かつ離脱とする）できるルアーケースホルダーに関する。
【背景技術】
【０００２】
従来、釣針を備えたルアー（ルアーとする）を、収容かつ離脱する（総称する場合には、挿脱とする）ホルダーとしては、通常、箱、又は箱形のケース等の定形性を備えた構造（箱のホルダー）である。この箱のホルダーでは、嵩張ることと、容易な挿脱を図るには十分とは云えないと考えられる。従って、この箱のホルダーの問題を解消し、より使い勝手がよいルアーケースホルダーが要望される処である。
【０００３】
この要望に応え得る、この種のルアーケースホルダーを先行文献より検討し、その一例を以下に説明する。
【０００４】
文献（１）は、特開平１０−２０１４０５号の「ルアー釣用バッグ」であり、この発明は、身体に取付けたバック内に、ルアーを、個別に収納可能な有底筒ケースを設ける構造であり、この有底筒ケースは、金属製、合成樹脂製等の成形材料でなる硬体（剛性）である。そして、この有底筒ケースに、個別にルアーを収納することで、ルアーの針の絡みと、損傷とを回避しつつ、ルアーの交換の容易化を図ることを特徴とする。そして、この有底筒ケースは、バック内に、このバックに設けたベルトを介して、自由に、整列配備する構造である。従って、この有底筒ケースにルアーを収納（収容）する際には、この有底筒ケースを傾倒する必要があり、目線との関係で、十分とは考えられないこと、また、この有底筒ケースは、成形材料でなる硬体であり、ルアーの針を引掛けて支持する構造でなく、有効性に問題を残すと考えられる。
【０００５】
また、文献（２）は、実用新案登録第３０３０８５５号の「ルアー収納用携行バッグ」であり、この考案は、前記文献（１）と略同じ構造と特徴、並びに問題を抱えている。
【０００６】
さらに、文献（３）は、特開２００１−１１２３９３の「ルアーケース」であり、この発明は、竿に取付け、取外し自在設けられる半割形状の容体と、蓋体とでなるルアーケースであって、この容体には、釣り針とルアーを収容できるスペースと、このルアーを、前記容体と、蓋体との内面に突設した複数枚の内壁で支持するとともに、この各内壁には、ルアーを支持する切欠き部をそれぞれ設ける構造である。そして、この発明は、ルアーを、釣り針とともに、切欠き部を備えた内壁で架承することで、ルアーケースに収納できることで、この収納と、取出しの容易化と、この収納、取出し時に手を傷つけることなく、この所作が安全かつ安心して行えることを特徴とする。しかし、この発明は、合成樹脂でなる硬体を主体とした構造であり、容体自体を開放し（スリットによる開放）、この開放箇所より、収納することは不可能であり、簡便性と、意外性、又は軽量化が期待できないこと、そして、また、ルアーの針を引掛けて支持する構造でなく、有効性に問題を残すこと、等が考えられる。
【０００７】
また、文献（４）は、特開２００１−２０４３０８の「ルアーホルダーおよびその製造方法」がある。この発明は、文献（３）の目的と、構造、並びに効果が、略同様であり、その説明は、割愛する。
【０００８】
【特許文献１】特開平１０−２０１４０５号
【特許文献２】実用新案登録第３０３０８５５号
【特許文献３】特開２００１−１１２３９３
【特許文献４】特開２００１−２０４３０８
【考案の概要】
【考案が解決しようとする課題】
【０００９】
以上で説明した、文献（１）〜（４）は、総括すると、合成樹脂でなる硬体を主体とした構造であり、容体自体を開放し（スリットによる開放）、この開放箇所より、収納することは不可能であり、簡便性と、意外性、又は軽量化が期待できないこと、そして、また、ルアーの針を引掛けて支持する構造でなく、有効性に問題を残すこと、等が考えられる。
【００１０】
上記に鑑み、本考案は、［イ］  可撓性（フレキシブル）の発泡性樹脂、又は可撓性のゴム素材で、環状無筒体のルアーケースを構成し、このルアーケースに設けたスリット（縦切条）を介して、このルアーケースを開放し、針付きルアーを、簡易、かつ確実に、挿脱できること、［ロ］  また、他の使用例として、このルアーケースに、ルアーの針を引掛けて支持する構造とし、有効性と、意外性、並びに斬新性等を発揮すること、等を意図する。
【課題を解決するための手段】
【００１１】
請求項１の考案は、下記の事項を意図する。
［イ］  可撓性（フレキシブル）の発泡性樹脂、又は可撓性のゴム素材で、環状無筒体のルアーケースを構成し、このルアーケースに設けたスリット（縦切条）を介して、このルアーケースを開放し、針付きルアーを、簡易、かつ確実に、挿脱できる。
［ロ］  また、他の使用例として、このルアーケースに、ルアーの針を引掛けて支持する構造とし、有効性と、意外性、並びに斬新性等を発揮する。
［ハ−１］  さらに、ルアーケースを、ルアーケースベースに複数個設ける構成とし、釣具ケース（釣ボックス）、又は身体、並びにジャケットに、必要時に簡易に着脱できる多目的のルアーケースホルダーである。
【００１２】
請求項１は、可撓性のシート素材を環状筒体としたルアーケースであって、このルアーケースは、その軸方向にスリットを形成し、このスリットは、開閉自在とし、この開放で、ルアーの収容を許し、また、この閉塞で、ルアーの収容を可能とする構造であり、
このルアーケースを、ルアーケースベースに複数個設ける構成としたルアーケースホルダーである。
【００１３】
請求項２の考案は、下記の事項を意図する。
前記［イ］と［ロ］を達成できる。
［ハ−２］  さらに、ルアーケースを、吊下げ紐、又はフック付のルアーケースベースに複数個設ける構成とし、釣具ケース（釣ボックス）、又は身体、並びにジャケットに、必要時に簡易に着脱できる多目的のルアーケースホルダーである。
【００１４】
請求項２は、請求項１に記載のルアーケースホルダーであって、
前記ルアーケースベースに吊下げ紐、又はフックを設け、この紐を利用して、このルアーホルダーを、釣具ケース、ジャケットに取付け可能とする構成としたルアーケースホルダーである。
【００１５】
請求項３の考案は、下記の事項を意図する。
前記［イ］〜［ハ−１］を達成できる。
［ニ］  ルアーケースを、発泡性樹脂で構成し、このルアーケースに、ルアーの釣針を係止可能とする。
【００１６】
請求項３は、請求項１に記載のルアーケースホルダーであって、
前記ルアーケースは、発泡性樹脂で構成し、このルアーケースに、ルアーの釣針を係止可能とする構成としたルアーケースホルダーである。
【００１７】
請求項４の考案は、下記の事項を意図する。
前記［イ］〜［ハ−１］を達成できる。
［ホ］  ルアーケースのスリットの接合端面が、面接触構造とし、かつこのルアーケースを、発泡性樹脂で構成することで、ルアー、及び／又は、釣針を収容した後に、確実に保持できる。
【００１８】
請求項４は、請求項１に記載のルアーケースホルダーであって、
前記ルアーケースのスリットは、その接合端面が、面接触構造であり、このスリットを確実に閉塞する構成としたルアーケースホルダーである。
【考案の効果】
【００１９】
請求項１の考案は、可撓性のシート素材を環状筒体としたルアーケースであって、ルアーケースは、軸方向にスリットを形成し、スリットは、開閉自在とし、開放で、ルアーの収容を許し、また、閉塞で、ルアーの収容を可能とする構造であり、
ルアーケースを、ルアーケースベースに複数個設ける構成としたルアーケースホルダー。
【００２０】
従って、請求項１は、下記の特徴がある。
［イ］  可撓性の発泡性樹脂、又は可撓性のゴム素材で、環状無筒体のルアーケースを構成し、このルアーケースに設けたスリットを介して、このルアーケースを開放し、針付きルアーを、簡易、かつ確実に、挿脱できる。
［ロ］  また、他の使用例として、このルアーケースに、ルアーの針を引掛けて支持する構造とし、有効性と、意外性、並びに斬新性等を発揮する。
［ハ−１］  さらに、ルアーケースを、ルアーケースベースに複数個設ける構成とし、釣具ケース（釣ボックス）、又は身体、並びにジャケットに、必要時に簡易に着脱できる多目的のルアーケースホルダーである。
【００２１】
請求項２の考案は、請求項１に記載のルアーケースホルダーであって、
ルアーケースベースに吊下げ紐、又はフックを設け、紐を利用して、ルアーホルダーを、釣具ケース、ジャケットに取付け可能とする構成としたルアーケースホルダーである。
【００２２】
従って、請求項２は、下記の特徴を有する。
［イ］と、［ロ］を有する。
［ハ−２］  さらに、ルアーケースを、吊下げ紐、又はフック付のルアーケースベースに複数個設ける構成とし、釣具ケース、又は身体、並びにジャケットに、必要時に簡易に着脱できる多目的のルアーケースホルダーである。
【００２３】
請求項３の考案は、請求項１に記載のルアーケースホルダーであって、
ルアーケースは、発泡性樹脂で構成し、ルアーケースに、ルアーの釣針を係止可能とする構成としたルアーケースホルダーである。
【００２４】
従って、請求項３は、下記の特徴を有する。
［イ］と、［ハ−１］を有する。
［ニ］  ルアーケースを、発泡性樹脂で構成し、このルアーケースに、ルアーの釣針を係止可能となる。
【００２５】
請求項４の考案は、請求項１に記載のルアーケースホルダーであって、
ルアーケースのスリットは、接合端面が、面接触構造であり、スリットを確実に閉塞する構成としたルアーケースホルダーである。
【００２６】
従って、請求項４は、下記の特徴を有する。
［イ］と、［ハ−１］を有する。
［ホ］  ルアーケースのスリットの接合端面が、面接触構造とし、かつこのルアーケースを、発泡性樹脂で構成することで、ルアー、及び／又は、釣針を収容した後に、確実に保持できる。
【図面の簡単な説明】
【００２７】
【図１−１】ルアーケース及びルアーの模式図である。
【図１−２】（ａ）と（ｂ）は、ルアーケースを押し広げ、この広げた状態のルアーケースの中にルアーを収納した状態の平面図である。
【図１−３】ルアー収納後のルアーケースの模式図である。
【図２−１】ルアーケースベースにルアーケースを複数個設けたルアーケースホルダーの斜視図である。
【図２−２】ルアーを収容したルアーケースをルアーケースベースに複数個設けたルアーケースホルダーの斜視図である。
【図２−３】ルアーケースをルアーケースベースに１個設けた状態の斜視図である。
【図３−１】ルアーケースホルダーを、面ファスナーを利用して釣具ケースの蓋の裏側に装着した状態の斜視図である。
【図３−２】ルアーケースホルダーを、釣具ケースの開口部分にフックによって引掛け、蓋を閉めた状態の斜視図である。
【図３−３】ルアーケースホルダーを、釣具ケースの開口部分にフックによって引掛け、蓋を開けた状態の斜視図である。
【図４】ルアーケースホルダーに吊下げ紐を設けた状態の正面図である。
【図５】図４のルアーケースホルダーをジャケットに取付けた状態の正面図である。
【考案を実施するための形態】
【００２８】
本考案のルアーケースホルダーの構成は、概ね、次のような部品で構成する。その部品の構造は後述するが、ルアーＡを収容する一本又は数本の可撓性発泡性樹脂、可撓性（軟質性）ゴム素材等で構成する可撓性のルアーケース１と、ルアーケース１を設け、かつ前記可撓性素材等でなるベースとなるルアーケースベース１０とで構成する。このルアーケースベース１０には、ルアーケースベース１０を支持する吊下げ紐２０、フック３０等でなるルアーケースホルダー１００とで構成する。
【００２９】
このルアーケース１の形状は、環状筒体で、上下方向を開放とする。また、ルアーケース１の素材は、復元力のある可撓性のシート素材、例えば、可撓性のポリエチレンフォーム等の発泡性樹脂、又は可撓性ゴム素材等が挙げられる。このルアーケース１を可撓性発泡性樹脂、又は可撓性ゴム素材で、ルアーＡ、及び／又は、釣針Ａ１を収容する例と、このルアーケース１の適所に、ルアーＡの釣針Ａ１を引掛ける例があり、この引掛ける例では、ルアーＡ等を、ルアーケース１の外に係止して、乾燥に役立てること、又は多目的な使用と、意外性、並びに斬新性等を発揮すること、等に利用する。
【００３０】
また、ルアーケース１は、軸方向（筒体の上下方向「イ方向」）にスリット２を形成し、このスリット２の接合端面３、３（３とする）を、面形状とし、面接触構造とする。この面接触構造で、スリット２の接離を図りつつ、ルアーケース１の確実な開閉と、ルアーケース１内に、ルアーＡを簡易、かつ確実に収容と挿脱が図れ、又はこのルアーケース１内に、ルアーＡを簡易、かつ確実に隠蔽できる。
【００３１】
このルアーケース１内へのルアーＡの収容を、図１−１〜図１−３に示した一例で説明すると、図１−１の如く、ルアーケース１と、収容するルアーＡを示している。図１−２の（ａ）如く、このルアーケース１の可撓性を利用して、スリット２の接合端面３を矢印Ｘ方向に押し広げる。そして、図１−２の（ｂ）の如く、押し広げられたルアーケース１内に、ルアーＡ、及び／又は、釣針Ａ１を収容する。この収容後に、押し広げる操作を停止する（押し広げを無くす）ことで、このルアーケース１は反対の矢印Ｙ方向に復帰し、この接合端面３が面接触することで、図１−３の如く、復帰し、このルアーケース１内にルアーＡ等が収容され、かつ外部からはルアーＡ等を視認することができない（隠蔽される）。尚、このルアーケース１の内径寸法は、通常のルアーＡの外寸より、幾分、小径として、ルアーケース１の内面で、ルアーＡを挾持する構造とするが、略同径として、釣針Ａ１を引掛け収容する構造とかが考えられる。
【００３２】
また、前記ルアーケースベース１０は、その一面に、一本又は数本のルアーケース１を設ける。この一本のルアーケース１を設ける一例を、図２−３に示し、また、数本のルアーケース１を設ける一例を、図２−１と、図２−２に示してある。このルアーケースベース１０にルアーケース１を設ける例としては、例えば、面ファスナー等の着脱自在の手段を利用する構造が考えられる。この面ファスナーを利用した場合は、ルアーケースベース１０からルアーケース１を容易に着脱できるので、このルアーケース１に復元力等がなくなった場合、破損した場合等において、ルアーケース１を交換できること、ルアーケース１（ルアーＡを含めて）の保管できること、又は道具（ルアーケースベース１０、ルアーケース１等）の有効利用が図れること、等の特徴を有する。また、このルアーケースベース１０に、ルアーケース１を固着する構成も考えられる。
【００３３】
このルアーケースベース１０に設けたルアーケース１のスリット２は、原則として、装着時（後述する）に、外側正面に向かって設けるが、スリット２を、偏倚した方向で、例えば、スリット２が左向き、右向き等様々な向きに変更することができ、収容の利便性と、利き手、癖等に対応した方向性を確保し、使用の簡便性を確保すること、等も可能である。
【００３４】
さらに、ルアーケースホルダー１００の上方か、適所に、吊下げ紐２０、又はフック３０を設ける。この吊下げ紐２０、又はフック３０を設けることで、例えば、運搬や保管等の便宜性が確保される。この吊下げ紐２０、又はフック３０を設ける一例としては、以下のような構造が考えられる。このルアーケースベース１０の上方に穴１１を設け、この穴１１に、吊下げ紐２０か、又は、フック３０を設ける。そして、この吊下げ紐２０、又はフック３０を、釣具ケース５０（図３−２、図３−３等参照）、ジャケット６０（図５参照）に取付けることで、このルアーケースベース１０が、釣具ケース５０、ジャケット６０に取付けられる。この図３−２、図３−３の例では、釣具ケース５０の開口部分５２に、フック３０を引掛けることで、この釣具ケース５０の外側に、ルアーケースベース１０が取付けられる。また、この図５の例では、ジャケット６０の前身頃に、吊下げ紐２０を係止することで、このジャケット６０の前側に、ルアーケースベース１０が取付けられる。その他は、前述の図３−２、図３−３等に準ずる。また、その他の例として、図３−１では、例えば、面ファスナー等を利用して、ルアーケースベース１０を、釣具ケース５０の蓋５１の裏側５１ａに取付ける。この図３−１では、２個のルアーケースホルダー１００を横向きに併設して設け、これに伴って、ルアーケース１のスリット２も横向きとなっている。尚、ルアーケースホルダー１００を縦向きに設けるか、横向きに設けるかは、自由である。この一例では、釣具ケース５０とルアーケースベース１０の一体化が図れ、利便性の向上と、ルアーＡの収容の容易化等に寄与できる。その他は、前述の図３−２、図３−３等に準ずる。図中５３は釣具ケース５０のストラップを示す。
【００３５】
以上説明したように、本考案の主たる目的は、ルアーＡをルアーケース１に収容することにあるが、その他の目的として、例えば、ルアーＡを、取外したルアーケース１（ルアーケースベース１０と一体も可能）に収容した状態のままでルアーＡを水洗いすることができる。従って、釣り場等でルアーＡを使用した後は、ルアーＡを水洗いし、気泡と、上下開放を利用して、乾燥したうえで保管することが望ましい。例えば、ルアーＡを海水で使用したような場合、そのままにしておくと海水に含まれる塩分によって釣針Ａ１等が錆びてしまうため、水洗いは必要である。このように、ルアーＡを洗った場合は、ルアーＡを乾燥させるため、ルアーＡに付いている水を切る必要があるが、この水を切るときもルアーＡ自体を持つ必要はなく、水洗いしたルアーＡを収容したルアーケース１を持って水切りを行えばよいため、誤ってルアーＡの釣針Ａ１が手等に刺さることが少なく、水切りの作業を安全に行うことができる。また、可撓性発泡性樹脂、又は可撓性ゴム素材では、ルアーケース１、及び／又は、ルアーケースベース１０であるので、仮に、水面に落としても沈むことがなく重宝する。そして、また、このルアーケース１等を、可撓性発泡性樹脂、又は可撓性ゴム素材で一体成形することで、低価格での提供と、量産化に有益である。
【符号の説明】
【００３６】
１          ルアーケース
２          スリット
３          接合端面
１０        ルアーケースベース
１１        穴
２０        吊下げ紐
３０        フック
５０        釣具ケース
５１        蓋
５１ａ      裏側
５２        開口部分
５３        ストラップ
６０        ジャケット
１００      ルアーケースホルダー
Ａ          ルアー
Ａ１        釣針
【図１−１】
0003158680.tif 000003
【図１−２】
0003158680.tif 000004
【図１−３】
0003158680.tif 000005
【図２−１】
0003158680.tif 000006
【図２−２】
0003158680.tif 000007
【図２−３】
0003158680.tif 000008
【図３−１】
0003158680.tif 000009
【図３−２】
0003158680.tif 000010
【図３−３】
0003158680.tif 000011
【図４】
0003158680.tif 000012
【図５】
0003158680.tif 000013
【手続補正書】
【提出日】平成22年2月9日(2010.2.9)
【手続補正１】
【補正対象書類名】実用新案登録請求の範囲
【補正対象項目名】全文
【補正方法】変更
【補正の内容】
【実用新案登録請求の範囲】
【請求項１】
可撓性のシート素材を環状筒体としたルアーケースであって、このルアーケースは、その軸方向にスリットを形成し、このスリットは、開閉自在とし、この開放で、ルアーの収容を許し、また、この閉塞で、ルアーの収容を可能とする構造であり、
このルアーケースを、ルアーケースベースに複数個設ける構成としたルアーケースホルダー。
【請求項２】
請求項１に記載のルアーケースホルダーであって、
前記ルアーケースベースに穴を設け、この穴に設けた吊下げ紐、又はフックで、前記ルアーホルダーを、前記釣具ケース、ジャケットに取付け可能とする構成としたルアーケースホルダー。
【請求項３】
請求項１に記載のルアーケースホルダーであって、
前記ルアーケースは、発泡性樹脂で構成し、このルアーケースに、ルアーの釣針を係止可能とする構成としたルアーケースホルダー。
【請求項４】
請求項１に記載のルアーケースホルダーであって、
前記ルアーケースのスリットは、その接合端面が、面接触構造であり、このスリットを確実に閉塞する構成としたルアーケースホルダー。
【手続補正２】
【補正対象書類名】明細書
【補正対象項目名】全文
【補正方法】変更
【補正の内容】
【考案の詳細な説明】
【技術分野】
【０００１】
本考案は、ルアーを、簡易に収容・引掛け、かつ離脱・取外し（原則として、収容かつ離脱とする）できるルアーケースホルダーに関する。
【背景技術】
【０００２】
従来、釣針を備えたルアー（ルアーとする）を、収容かつ離脱する（総称する場合には、挿脱とする）ホルダーとしては、通常、箱、又は箱形のケース等の定形性を備えた構造（箱のホルダー）である。この箱のホルダーでは、嵩張ることと、容易な挿脱を図るには十分とは云えないと考えられる。従って、この箱のホルダーの問題を解消し、より使い勝手がよいルアーケースホルダーが要望される処である。
【０００３】
この要望に応え得る、この種のルアーケースホルダーを先行文献より検討し、その一例を以下に説明する。
【０００４】
文献（１）は、特開平１０−２０１４０５号の「ルアー釣用バッグ」であり、この発明は、身体に取付けたバック内に、ルアーを、個別に収納可能な有底筒ケースを設ける構造であり、この有底筒ケースは、金属製、合成樹脂製等の成形材料でなる硬体（剛性）である。そして、この有底筒ケースに、個別にルアーを収納することで、ルアーの針の絡みと、損傷とを回避しつつ、ルアーの交換の容易化を図ることを特徴とする。そして、この有底筒ケースは、バック内に、このバックに設けたベルトを介して、自由に、整列配備する構造である。従って、この有底筒ケースにルアーを収納（収容）する際には、この有底筒ケースを傾倒する必要があり、目線との関係で、十分とは考えられないこと、また、この有底筒ケースは、成形材料でなる硬体であり、ルアーの針を引掛けて支持する構造でなく、有効性に問題を残すと考えられる。
【０００５】
また、文献（２）は、実用新案登録第３０３０８５５号の「ルアー収納用携行バッグ」であり、この考案は、前記文献（１）と略同じ構造と特徴、並びに問題を抱えている。
【０００６】
さらに、文献（３）は、特開２００１−１１２３９３の「ルアーケース」であり、この発明は、竿に取付け、取外し自在設けられる半割形状の容体と、蓋体とでなるルアーケースであって、この容体には、釣り針とルアーを収容できるスペースと、このルアーを、前記容体と、蓋体との内面に突設した複数枚の内壁で支持するとともに、この各内壁には、ルアーを支持する切欠き部をそれぞれ設ける構造である。そして、この発明は、ルアーを、釣り針とともに、切欠き部を備えた内壁で架承することで、ルアーケースに収納できることで、この収納と、取出しの容易化と、この収納、取出し時に手を傷つけることなく、この所作が安全かつ安心して行えることを特徴とする。しかし、この発明は、合成樹脂でなる硬体を主体とした構造であり、容体自体を開放し（スリットによる開放）、この開放箇所より、収納することは不可能であり、簡便性と、意外性、又は軽量化が期待できないこと、そして、また、ルアーの針を引掛けて支持する構造でなく、有効性に問題を残すこと、等が考えられる。
【０００７】
また、文献（４）は、特開２００１−２０４３０８の「ルアーホルダーおよびその製造方法」がある。この発明は、文献（３）の目的と、構造、並びに効果が、略同様であり、その説明は、割愛する。
【０００８】
【特許文献１】特開平１０−２０１４０５号
【特許文献２】実用新案登録第３０３０８５５号
【特許文献３】特開２００１−１１２３９３
【特許文献４】特開２００１−２０４３０８
【考案の概要】
【考案が解決しようとする課題】
【０００９】
以上で説明した、文献（１）〜（４）は、総括すると、合成樹脂でなる硬体を主体とした構造であり、容体自体を開放し（スリットによる開放）、この開放箇所より、収納することは不可能であり、簡便性と、意外性、又は軽量化が期待できないこと、そして、また、ルアーの針を引掛けて支持する構造でなく、有効性に問題を残すこと、等が考えられる。
【００１０】
上記に鑑み、本考案は、［イ］  可撓性（フレキシブル）の発泡性樹脂、又は可撓性のゴム素材で、環状無筒体のルアーケースを構成し、このルアーケースに設けたスリット（縦切条）を介して、このルアーケースを開放し、針付きルアーを、簡易、かつ確実に、挿脱できること、［ロ］  また、他の使用例として、このルアーケースに、ルアーの針を引掛けて支持する構造とし、有効性と、意外性、並びに斬新性等を発揮すること、等を意図する。
【課題を解決するための手段】
【００１１】
請求項１の考案は、下記の事項を意図する。
［イ］  可撓性（フレキシブル）の発泡性樹脂、又は可撓性のゴム素材で、環状無筒体のルアーケースを構成し、このルアーケースに設けたスリット（縦切条）を介して、このルアーケースを開放し、針付きルアーを、簡易、かつ確実に、挿脱できる。
［ロ］  また、他の使用例として、このルアーケースに、ルアーの針を引掛けて支持する構造とし、有効性と、意外性、並びに斬新性等を発揮する。
［ハ−１］  さらに、ルアーケースを、ルアーケースベースに複数個設ける構成とし、釣具ケース（釣ボックス）、又は身体、並びにジャケットに、必要時に簡易に着脱できる多目的のルアーケースホルダーである。
【００１２】
請求項１は、可撓性のシート素材を環状筒体としたルアーケースであって、このルアーケースは、その軸方向にスリットを形成し、このスリットは、開閉自在とし、この開放で、ルアーの収容を許し、また、この閉塞で、ルアーの収容を可能とする構造であり、
このルアーケースを、ルアーケースベースに複数個設ける構成としたルアーケースホルダーである。
【００１３】
請求項２の考案は、下記の事項を意図する。
前記［イ］と［ロ］を達成できる。
［ハ−２］  さらに、ルアーケースを、吊下げ紐、又はフック付のルアーケースベースに複数個設ける構成とし、釣具ケース（釣ボックス）、又は身体、並びにジャケットに、必要時に簡易に着脱できる多目的のルアーケースホルダーである。
【００１４】
請求項１に記載のルアーケースホルダーであって、
前記ルアーケースベースに穴を設け、この穴に設けた吊下げ紐、又はフックで、前記ルアーホルダーを、前記釣具ケース、ジャケットに取付け可能とする構成としたルアーケースホルダーである。
【００１５】
請求項３の考案は、下記の事項を意図する。
前記［イ］〜［ハ−１］を達成できる。
［ニ］  ルアーケースを、発泡性樹脂で構成し、このルアーケースに、ルアーの釣針を係止可能とする。
【００１６】
請求項３は、請求項１に記載のルアーケースホルダーであって、
前記ルアーケースは、発泡性樹脂で構成し、このルアーケースに、ルアーの釣針を係止可能とする構成としたルアーケースホルダーである。
【００１７】
請求項４の考案は、下記の事項を意図する。
前記［イ］〜［ハ−１］を達成できる。
［ホ］  ルアーケースのスリットの接合端面が、面接触構造とし、かつこのルアーケースを、発泡性樹脂で構成することで、ルアー、及び／又は、釣針を収容した後に、確実に保持できる。
【００１８】
請求項４は、請求項１に記載のルアーケースホルダーであって、
前記ルアーケースのスリットは、その接合端面が、面接触構造であり、このスリットを確実に閉塞する構成としたルアーケースホルダーである。
【考案の効果】
【００１９】
請求項１の考案は、可撓性のシート素材を環状筒体としたルアーケースであって、ルアーケースは、軸方向にスリットを形成し、スリットは、開閉自在とし、開放で、ルアーの収容を許し、また、閉塞で、ルアーの収容を可能とする構造であり、
ルアーケースを、ルアーケースベースに複数個設ける構成としたルアーケースホルダー。
【００２０】
従って、請求項１は、下記の特徴がある。
［イ］  可撓性の発泡性樹脂、又は可撓性のゴム素材で、環状無筒体のルアーケースを構成し、このルアーケースに設けたスリットを介して、このルアーケースを開放し、針付きルアーを、簡易、かつ確実に、挿脱できる。
［ロ］  また、他の使用例として、このルアーケースに、ルアーの針を引掛けて支持する構造とし、有効性と、意外性、並びに斬新性等を発揮する。
［ハ−１］  さらに、ルアーケースを、ルアーケースベースに複数個設ける構成とし、釣具ケース（釣ボックス）、又は身体、並びにジャケットに、必要時に簡易に着脱できる多目的のルアーケースホルダーである。
【００２１】
請求項２の考案は、請求項１に記載のルアーケースホルダーであって、
ルアーケースベースに穴を設け、穴に設けた吊下げ紐、又はフックで、ルアーホルダーを、釣具ケース、ジャケットに取付け可能とする構成としたルアーケースホルダーである。
【００２２】
従って、請求項２は、下記の特徴を有する。
［イ］と、［ロ］を有する。
［ハ−２］  さらに、ルアーケースを、吊下げ紐、又はフック付のルアーケースベースに複数個設ける構成とし、釣具ケース、又は身体、並びにジャケットに、必要時に簡易に着脱できる多目的のルアーケースホルダーである。
【００２３】
請求項３の考案は、請求項１に記載のルアーケースホルダーであって、
ルアーケースは、発泡性樹脂で構成し、ルアーケースに、ルアーの釣針を係止可能とする構成としたルアーケースホルダーである。
【００２４】
従って、請求項３は、下記の特徴を有する。
［イ］と、［ハ−１］を有する。
［ニ］  ルアーケースを、発泡性樹脂で構成し、このルアーケースに、ルアーの釣針を係止可能となる。
【００２５】
請求項４の考案は、請求項１に記載のルアーケースホルダーであって、
ルアーケースのスリットは、接合端面が、面接触構造であり、スリットを確実に閉塞する構成としたルアーケースホルダーである。
【００２６】
従って、請求項４は、下記の特徴を有する。
［イ］と、［ハ−１］を有する。
［ホ］  ルアーケースのスリットの接合端面が、面接触構造とし、かつこのルアーケースを、発泡性樹脂で構成することで、ルアー、及び／又は、釣針を収容した後に、確実に保持できる。
【図面の簡単な説明】
【００２７】
【図１−１】ルアーケース及びルアーの模式図である。
【図１−２】（ａ）と（ｂ）は、ルアーケースを押し広げ、この広げた状態のルアーケースの中にルアーを収納した状態の平面図である。
【図１−３】ルアー収納後のルアーケースの模式図である。
【図２−１】ルアーケースベースにルアーケースを複数個設けたルアーケースホルダーの斜視図である。
【図２−２】ルアーを収容したルアーケースをルアーケースベースに複数個設けたルアーケースホルダーの斜視図である。
【図２−３】ルアーケースをルアーケースベースに１個設けた状態の斜視図である。
【図３−１】ルアーケースホルダーを、面ファスナーを利用して釣具ケースの蓋の裏側に装着した状態の斜視図である。
【図３−２】ルアーケースホルダーを、釣具ケースの開口部分にフックによって引掛け、蓋を閉めた状態の斜視図である。
【図３−３】ルアーケースホルダーを、釣具ケースの開口部分にフックによって引掛け、蓋を開けた状態の斜視図である。
【図４】ルアーケースホルダーに吊下げ紐を設けた状態の正面図である。
【図５】図４のルアーケースホルダーをジャケットに取付けた状態の正面図である。
【考案を実施するための形態】
【００２８】
本考案のルアーケースホルダーの構成は、概ね、次のような部品で構成する。その部品の構造は後述するが、ルアーＡを収容する一本又は数本の可撓性発泡性樹脂、可撓性（軟質性）ゴム素材等で構成する可撓性のルアーケース１と、ルアーケース１を設け、かつ前記可撓性素材等でなるベースとなるルアーケースベース１０とで構成する。このルアーケースベース１０には、ルアーケースベース１０を支持する吊下げ紐２０、フック３０等でなるルアーケースホルダー１００とで構成する。
【００２９】
このルアーケース１の形状は、環状筒体で、上下方向を開放とする。また、ルアーケース１の素材は、復元力のある可撓性のシート素材、例えば、可撓性のポリエチレンフォーム等の発泡性樹脂、又は可撓性ゴム素材等が挙げられる。このルアーケース１を可撓性発泡性樹脂、又は可撓性ゴム素材で、ルアーＡ、及び／又は、釣針Ａ１を収容する例と、このルアーケース１の適所に、ルアーＡの釣針Ａ１を引掛ける例があり、この引掛ける例では、ルアーＡ等を、ルアーケース１の外に係止して、乾燥に役立てること、又は多目的な使用と、意外性、並びに斬新性等を発揮すること、等に利用する。
【００３０】
また、ルアーケース１は、軸方向（筒体の上下方向「イ方向」）にスリット２を形成し、このスリット２の接合端面３、３（３とする）を、面形状とし、面接触構造とする。この面接触構造で、スリット２の接離を図りつつ、ルアーケース１の確実な開閉と、ルアーケース１内に、ルアーＡを簡易、かつ確実に収容と挿脱が図れ、又はこのルアーケース１内に、ルアーＡを簡易、かつ確実に隠蔽できる。
【００３１】
このルアーケース１内へのルアーＡの収容を、図１−１〜図１−３に示した一例で説明すると、図１−１の如く、ルアーケース１と、収容するルアーＡを示している。図１−２の（ａ）如く、このルアーケース１の可撓性を利用して、スリット２の接合端面３を矢印Ｘ方向に押し広げる。そして、図１−２の（ｂ）の如く、押し広げられたルアーケース１内に、ルアーＡ、及び／又は、釣針Ａ１を収容する。この収容後に、押し広げる操作を停止する（押し広げを無くす）ことで、このルアーケース１は反対の矢印Ｙ方向に復帰し、この接合端面３が面接触することで、図１−３の如く、復帰し、このルアーケース１内にルアーＡ等が収容され、かつ外部からはルアーＡ等を視認することができない（隠蔽される）。尚、このルアーケース１の内径寸法は、通常のルアーＡの外寸より、幾分、小径として、ルアーケース１の内面で、ルアーＡを挾持する構造とするが、略同径として、釣針Ａ１を引掛け収容する構造とかが考えられる。
【００３２】
また、前記ルアーケースベース１０は、その一面に、一本又は数本のルアーケース１を設ける。この一本のルアーケース１を設ける一例を、図２−３に示し、また、数本のルアーケース１を設ける一例を、図２−１と、図２−２に示してある。このルアーケースベース１０にルアーケース１を設ける例としては、例えば、面ファスナー等の着脱自在の手段を利用する構造が考えられる。この面ファスナーを利用した場合は、ルアーケースベース１０からルアーケース１を容易に着脱できるので、このルアーケース１に復元力等がなくなった場合、破損した場合等において、ルアーケース１を交換できること、ルアーケース１（ルアーＡを含めて）の保管できること、又は道具（ルアーケースベース１０、ルアーケース１等）の有効利用が図れること、等の特徴を有する。また、このルアーケースベース１０に、ルアーケース１を固着する構成も考えられる。
【００３３】
このルアーケースベース１０に設けたルアーケース１のスリット２は、原則として、装着時（後述する）に、外側正面に向かって設けるが、スリット２を、偏倚した方向で、例えば、スリット２が左向き、右向き等様々な向きに変更することができ、収容の利便性と、利き手、癖等に対応した方向性を確保し、使用の簡便性を確保すること、等も可能である。
【００３４】
さらに、ルアーケースホルダー１００の上方か、適所に、吊下げ紐２０、又はフック３０を設ける。この吊下げ紐２０、又はフック３０を設けることで、例えば、運搬や保管等の便宜性が確保される。この吊下げ紐２０、又はフック３０を設ける一例としては、以下のような構造が考えられる。このルアーケースベース１０の上方に穴１１を設け、この穴１１に、吊下げ紐２０か、又は、フック３０を設ける。そして、この吊下げ紐２０、又はフック３０を、釣具ケース５０（図３−２、図３−３等参照）、ジャケット６０（図５参照）に取付けることで、このルアーケースベース１０が、釣具ケース５０、ジャケット６０に取付けられる。この図３−２、図３−３の例では、釣具ケース５０の開口部分５２に、フック３０を引掛けることで、この釣具ケース５０の外側に、ルアーケースベース１０が取付けられる。また、この図５の例では、ジャケット６０の前身頃に、吊下げ紐２０を係止することで、このジャケット６０の前側に、ルアーケースベース１０が取付けられる。その他は、前述の図３−２、図３−３等に準ずる。また、その他の例として、図３−１では、例えば、面ファスナー等を利用して、ルアーケースベース１０を、釣具ケース５０の蓋５１の裏側５１ａに取付ける。この図３−１では、２個のルアーケースホルダー１００を横向きに併設して設け、これに伴って、ルアーケース１のスリット２も横向きとなっている。尚、ルアーケースホルダー１００を縦向きに設けるか、横向きに設けるかは、自由である。この一例では、釣具ケース５０とルアーケースベース１０の一体化が図れ、利便性の向上と、ルアーＡの収容の容易化等に寄与できる。その他は、前述の図３−２、図３−３等に準ずる。図中５３は釣具ケース５０のストラップを示す。
【００３５】
以上説明したように、本考案の主たる目的は、ルアーＡをルアーケース１に収容することにあるが、その他の目的として、例えば、ルアーＡを、取外したルアーケース１（ルアーケースベース１０と一体も可能）に収容した状態のままでルアーＡを水洗いすることができる。従って、釣り場等でルアーＡを使用した後は、ルアーＡを水洗いし、気泡と、上下開放を利用して、乾燥したうえで保管することが望ましい。例えば、ルアーＡを海水で使用したような場合、そのままにしておくと海水に含まれる塩分によって釣針Ａ１等が錆びてしまうため、水洗いは必要である。このように、ルアーＡを洗った場合は、ルアーＡを乾燥させるため、ルアーＡに付いている水を切る必要があるが、この水を切るときもルアーＡ自体を持つ必要はなく、水洗いしたルアーＡを収容したルアーケース１を持って水切りを行えばよいため、誤ってルアーＡの釣針Ａ１が手等に刺さることが少なく、水切りの作業を安全に行うことができる。また、可撓性発泡性樹脂、又は可撓性ゴム素材では、ルアーケース１、及び／又は、ルアーケースベース１０であるので、仮に、水面に落としても沈むことがなく重宝する。そして、また、このルアーケース１等を、可撓性発泡性樹脂、又は可撓性ゴム素材で一体成形することで、低価格での提供と、量産化に有益である。
【符号の説明】
【００３６】
１          ルアーケース
２          スリット
３          接合端面
１０        ルアーケースベース
１１        穴
２０        吊下げ紐
３０        フック
５０        釣具ケース
５１        蓋
５１ａ      裏側
５２        開口部分
５３        ストラップ
６０        ジャケット
１００      ルアーケースホルダー
Ａ          ルアー
Ａ１        釣針